(57)【要約】【課題】簡単な構成で、解析結果を時間的に一目で把握することができるように表示することが可能な、流体過渡現象解析結果表示システムを提供する。【解決手段】所定の流体において解析された複数の事象の時間変化を表示する構成であって、互いに直交する軸のうち一方の軸を時間軸とし、他方の軸上に前記複数の事象についての各変数をそれぞれ基点をずらして１枚のグラフにまとめて描くようにした構成とする。【選択図】　　　図１
2004139506.tif 000002
【特許請求の範囲】
【請求項１】
所定の流体において解析された複数の事象の時間変化を表示する流体過渡現象解析結果表示システムであって、
互いに直交する軸のうち一方の軸を時間軸とし、他方の軸上に前記複数の事象についての各変数をそれぞれ基点をずらして１枚のグラフにまとめて描くようにしたことを特徴とする流体過渡現象解析結果表示システム。
【請求項２】
前記各変数毎に前記他方の軸の一目盛の大きさ或いは単位を異ならせることが可能であることを特徴とする請求項１に記載の流体過渡現象解析結果表示システム。
【請求項３】
所定の流体において解析された事象の時間変化を表示する流体過渡現象解析結果表示システムであって、
前記事象についての変数を、該事象が生じた各場所に相当する位置関係にて、該変数の値に対応させて色分け表示するようにしたことを特徴とする過渡現象解析結果表示システム。
【請求項４】
時々刻々に変化する前記変数の値を色分けして動画表示するようにしたことを特徴とする請求項３に記載の過渡現象解析結果表示システム。
【発明の詳細な説明】
【０００１】
【発明の属する技術分野】
本発明は、一般産業分野や発電プラント等における流体過渡現象の解析結果を表示するシステムに関するものである。
【０００２】
【従来の技術】
従来より、一般産業分野や発電プラント等での例えば流体移送システムにおいては、流体過渡現象、即ちその流体の圧力や流量等の事象の時間変化を解析することが行われている。例えば、原子力発電プラントや火力発電プラントにおいては、熱交換用の海水がポンプにて復水器に供給される給水システムが用いられているが、その取水口から放水口までの配管の或る場所における流体（ここでは海水）の圧力や流量等の時間変化が解析されている。
【０００３】
これは、例えばポンプの起動やトリップ、或いは配管中のバルブの急激な開閉等により、流体に圧力変動が生じ、その圧力波さらには水撃が配管内を伝わることがあるが、その様子を解析して給水システムに及ぼす影響を調べようとするものである。この解析により、時々刻々の圧力分布が表示され、流れの状態がグラフで表現される。また、ポンプの回転数，流量，及び揚程や、バルブの開度，復水器における流体の容積等も表示することができる。
【０００４】
【発明が解決しようとする課題】
しかしながら、上述したような、従来の表示システムにおいては、解析結果である圧力，流量等の時間変化を示すグラフが、別々の図として分かれてプリントされるので、比較しづらいものとなっている。例えば、図３（ａ），（ｂ）に示すように、横軸が同じ時間ｔの軸でありながら、縦軸がそれぞれ圧力Ｐ，流量Ｑの軸としてグラフ化され、別々の図としてプリントされる。通常は解析される項目が多数に及ぶので、それらを一々比較検討することは、非常に煩雑な作業となる。
【０００５】
本発明は、このような問題点に鑑み、簡単な構成で、解析結果を時間的に一目で把握することができるように表示することが可能な、流体過渡現象解析結果表示システムを提供することを目的とする。
【０００６】
【課題を解決するための手段】
上記目的を達成するために、本発明では、所定の流体において解析された複数の事象の時間変化を表示する構成であって、互いに直交する軸のうち一方の軸を時間軸とし、他方の軸上に前記複数の事象についての各変数をそれぞれ基点をずらして１枚のグラフにまとめて描くようにしたことを特徴とする。
【０００７】
また、前記各変数毎に前記他方の軸の一目盛の大きさ或いは単位を異ならせることが可能であることを特徴とする。
【０００８】
或いは、所定の流体において解析された事象の時間変化を表示する構成であって、前記事象についての変数を、その事象が生じた各場所に相当する位置関係にて、その変数の値に対応させて色分け表示するようにしたことを特徴とする。
【０００９】
また、時々刻々に変化する前記変数の値を色分けして動画表示するようにしたことを特徴とする。
【００１０】
【発明の実施の形態】
以下、本発明の実施の形態について、図面を参照しながら説明する。図１は、本発明の一実施形態に係る流体過渡現象解析結果表示システムにおけるグラフ表示の一例を模式的に示す図である。同図に示すように、本実施形態では、横軸に時間ｔを取り、縦軸に圧力Ｐと流量Ｑを、基点をずらして取っている。なお、縦軸と横軸は言うまでもなく互いに直交する軸である。
【００１１】
実際は、例えば上記従来技術で述べたような給水システムについて、配管の各場所における圧力や、ポンプの回転数，流量，及び揚程、また、バルブの開度，復水器における流体の容積等、多数の変数を縦軸に少しずつ基点をずらして取り、１枚のグラフにまとめて描く構成となっている。なお、縦軸と横軸が逆になっても構わない。
【００１２】
この場合、各変数毎に縦軸の一目盛の大きさや単位を異ならせることができる。また、各グラフの色や線種を異ならせておけば、互いに重なったとしても判別することができる。その他、同じ給水システムの構成でも、例えばバルブの開閉速度を異ならせた場合の各圧力変化の様子を並列して表示し、１枚のグラフで表現するといったことも可能である。以上のような構成により、圧力，流量等の事象が時間的に一目で比較できるので、事象が理解しやすくなる。
【００１３】
図２は、本発明の他の実施形態に係る流体過渡現象解析結果表示システムにおける画面表示の一例を模式的に示す図である。同図に示すように、本実施形態では、上記従来技術で述べたような給水システムについて、配管の各場所における圧力分布を、相当する位置関係にてレインボーカラーで色分け表示している。
【００１４】
まず、同図において、１は取水口、２は取水ピットであり、Ｐはポンプ、３は直後に配置された吐出弁である。また、４は復水器、５はこれに設けた真空破壊弁であり、６は放水ピット、７は放水口である。そして、各部は配管８により接続されている。配管８内の圧力分布は、高圧を赤色Ｒ、低圧を紫色Ｖとし、この間をレインボーカラーで表している。
【００１５】
同図における各部の変数は、例えば以下のようになっている。
取水口１の潮位　　　　：−４．３ｍ
取水ピット２の水位　　：−５．４５ｍ
吐出弁３の開度　　　　：１００％
復水器４の空気注入容積：３０％
真空破壊弁５の開度　　：０％
放水ピット６の水位　　：−２．６１ｍ
放水口７の潮位　　　　：−４．３ｍ
【００１６】
また、ポンプＰに関する変数は、例えば以下のようになっている。
揚程　：１５．７３ｍ
流量　：５７５００ｍ３／ｈ
回転数：２３６ｒｐｍ
【００１７】
同図において、ポンプＰの働きにより、矢印で示すように、取水口１から復水器４を経て、放水口７まで海水が移送される。このとき、ポンプＰがトリップしたとすると、配管８においては、ポンプＰの直前の圧力は低いので紫色Ｖで表示され、ポンプＰの直後の圧力は高いので赤色Ｒで表示される。そして、吐出弁３後方の圧力分布は、Ａ部において高圧から低圧までレインボーカラーで表示される。最後に、復水器４の直前及び直後の圧力は低いので、紫色Ｖで表示される。つまり、同図ではポンプＰトリップ直後の圧力波伝搬の様子を表している。
【００１８】
同図では、或る時刻における圧力分布を表示しているが、さらに、時々刻々に変化する圧力分布を動画表示することが可能である。具体的には、圧力伝搬速度と解析する時間との兼ね合いにより、配管を分割して各部を時々刻々に変化するカラーで表示する。例えば、圧力伝搬速度が１０００ｍ／ｓオーダーであるとすると、配管を１０ｍ即ち１／１００ｓ単位でカラー表示する。
【００１９】
この場合、平面上に曲げて設けられている配管は延ばした状態で表示し、高さ方向の配管はそのままの状態で表示して、２次元表示とする。また、必要に応じて画像を全体或いは部分的に、縮小或いは拡大しても良い。そして、１００分の１秒刻みで変化させて上記レインボーカラーで表示した圧力分布の画像を、ＣＲＴ等の画面上で順次表示して、動画表示とする。勿論、表示するタイミングを遅くすることにより、スローモーション表示することも可能である。
【００２０】
このように、圧力分布をカラーで表示することにより、全体の分布が理解しやすくなるとともに、これを動画として表示することにより、時間的な変化状況が理解しやすくなる。また、圧力分布に限らず、上述した流量や、潮位，水位、弁開度等を、同じ画面上に時刻表示と共に数値表示したり、伸縮する帯グラフ，棒グラフ等で表示したりすることも可能である。
【００２１】
【発明の効果】
以上説明したように、本発明によれば、簡単な構成で、解析結果を時間的に一目で把握することができるように表示することが可能な、流体過渡現象解析結果表示システムを提供することができる。
【図面の簡単な説明】
【図１】本発明の一実施形態に係る流体過渡現象解析結果表示システムにおけるグラフ表示の一例を模式的に示す図。
【図２】本発明の他の実施形態に係る流体過渡現象解析結果表示システムにおける画面表示の一例を模式的に示す図。
【図３】従来の表示システムにおけるグラフ表示の一例を模式的に示す図。
【符号の説明】
１　　取水口
２　　取水ピット
３　　吐出弁
４　　復水器
５　　真空破壊弁
６　　放水ピット
７　　放水口
８　　配管
Ｐ　　ポンプ
【図１】
2004139506.tif 000003
【図２】
2004139506.tif 000004
【図３】
2004139506.tif 000005